(57)【要約】      （修正有）【課題】放送番組受信及び外部ビデオ・オーディオ入力の録画及び再生機能を有するビデオ装置に於いて、ビデオ・オーディオ信号を連続してエンドレスにデジタル録画し続けると共に、ユーザの指定するビデオ・オーディオの位置から効率よく再生する機能を提供する。【解決手段】シーケンシャルにエンドレス録画するビデオ・オーディオストリームに於いて、特定間隔でピクチャ開始位置を示すインデックス情報を生成し管理する事により、特定位置からの時間連続性のあるビデオ・オーディオストリームの読出し及び再生を高速・高効率で実現すると共に、記憶媒体の断片化現象を除く事によりアクセス速度の向上と機構部を有する場合の耐用年数の向上を実現する。【選択図】図１
2012003803.tif 000002
【特許請求の範囲】
【請求項１】
ビデオ・オーディオストリームを入力する手段と、入力するビデオ・オーディオストリームを記憶媒体に記録するに当たって、
特定容量を有する記憶領域の終端に達した場合、記憶領域の最初の端より書換えてゆく事を繰り返す事により、入力するビデオ・オーディオストリームをエンドレスに記録するストリーム蓄積手段と、
前記ストリーム蓄積手段に記録されているビデオ・オーディオストリームに於いて、一定時間間隔で記憶領域と同期するインデックス情報を生成する時間インデックス生成手段と、
前記インデックス情報を用いて特定時刻のビデオ・オーディオストリームをストリーム蓄積手段から読出しを開始する検索・読出し手段を備え、
前記ストリーム蓄積手段に記録されている範囲で、特定の時刻のビデオ・オーディオストリーム位置から即座に再生する手段を備える事を特徴とするエンドレス録画再生装置。
【請求項２】
請求項１に記載のエンドレス録画再生装置に於いて、
ビデオ・オーディオストリームを入力する手段と、
入力するビデオ・オーディオストリームを記憶媒体に記録するに当たって、動き補償等によるピクチャー間の依存関係を有する特定のピクチャグループ単位で記録するストリーム蓄積手段を備える事により、
記録されるビデオ・オーディオストリームのインデックス情報がピクチャグループ単位の時間間隔で生成、管理される事を特徴とするエンドレス録画再生装置。
【請求項３】
請求項１及び２に記載のエンドレス録画再生装置に於いて、
前記ストリーム蓄積手段に記録されているビデオ・オーディオストリームの内容から、インデックス情報で管理される時間間隔に基づき、特定の時間間隔で参照画像を生成する参照画像生成手段と、
前記参照画像生成手段で作成した参照画像をサムネイル表示する手段を備え、
サムネイル表示される特定画像を選択する事により、ストリーム蓄積手段に於けるビデオ・オーディオストリームの特定位置より読出し再生する機能を備える事を特徴とするエンドレス録画再生装置。
【請求項４】
請求項１から３に記載のエンドレス録画再生装置に於いて、
ビデオ・オーディオストリームを入力する手段と、
入力するビデオ・オーディオストリームを記憶媒体に記録するに当たって、空き領域を隣合う連続領域として配置する記憶領域に対して、シーケンシャルに書き込むストリーム蓄積手段を備える事を特徴とするエンドレス録画再生装置。
【発明の詳細な説明】
【技術分野】
【０００１】
本発明は、放送番組受信及び外部ビデオ・オーディオ入力の録画及び再生機能を有するビデオ装置に於いて、ビデオ・オーディオ信号を連続してエンドレスにデジタル録画し続けると共に、ユーザの指定するビデオ・オーディオの位置から効率よく再生する機能を提供するビデオ装置に関する。
【背景技術】
【０００２】
従来のビデオ・オーディオの録画再生機能を有するビデオ装置は、テレビジョン放送の受信可能な放送番組のビデオ・オーディオストリームを、ユーザが電子番組表（ＥＰＧ）情報で指定する放送番組の放送開始時刻から終了時刻まで、ハードディスク及び光ディスク（ＤＶＤ、ＨＤ−ＤＶＤ、ブルーレイディスク等）等の記憶媒体に記録・保存する機能を有する。又、記憶媒体に記録・保存されたビデオ・オーディオストリームの視聴は、サムネイル画面等により提示される個々の記録番組毎の静止画等の情報により、ユーザの選択に従って特定の記録番組が記憶媒体から読出し再生される事により提供される。
【先行技術文献】
【特許文献】
【０００３】
特許文献１の信号記録再生方法では、デジタル変換及び圧縮処理したテレビジョン放送のビデオ・オーディオストリームやラジオ放送のオーディオストリームを、記憶媒体としてのフラッシュメモリ等の半導体メモリにエンドレスに記録する。
【特許文献１】特開平８−４６９０６号広報
【発明の概要】
【発明が解決しようとする課題】
【０００４】
しかしながら、記憶媒体にビデオ・オーディオストリームをエンドレスに記録するだけでは、記録容量が増大するに従って、膨大なビデオ・オーディオストリームの視聴面に於ける不自由さも比例関係で増大する事となる。又、通常の記憶媒体の場合、保存するデータは一定長毎に区切られており、区切られた領域毎にランダムアクセスを行なう事により一連のデータを読み出している。記憶媒体に於ける一定長毎に区切られた記憶領域の単位は、一連のデータの書込みと削除を繰り返し行なう事により、連続した空き領域が減少し、複数の不連続な空き領域に分割されて格納されるデータ使用領域の断片化現象を引き起こす。記憶領域の断片化現象に拠り、機構構造を有する記憶媒体に於いて、磁気ヘッド等の稼動部が離れた場所の記憶領域（一定長毎に区切られた単位）を頻繁に行き来する結果を招き、稼動部の移動量の増大によるアクセス速度の低下及び機械機構部の消耗に伴い、故障を誘発する確立が高くなり耐用年数が低下する事となる。
【課題を解決するための手段】
【０００５】
請求項１のエンドレス録画再生装置は、ビデオ・オーディオストリームを入力する手段と、入力するビデオ・オーディオストリームを記憶媒体に記録するに当たって、特定容量を有する記憶領域の終端に達した場合、記憶領域の最初の端より書換えてゆく事を繰り返す事により、入力するビデオ・オーディオストリームをエンドレスに記録するストリーム蓄積手段と、前記ストリーム蓄積手段に記録されているビデオ・オーディオストリームに於いて、一定時間間隔で記憶領域と同期するインデックス情報を生成する時間インデックス生成手段と、前記インデックス情報を用いて特定時刻のビデオ・オーディオストリームをストリーム蓄積手段から読出しを開始する検索・読出し手段を備え、前記ストリーム蓄積手段に記録されている範囲で、特定の時刻のビデオ・オーディオストリーム位置から即座に再生する手段を備える事を特徴とする。
【０００６】
請求項２のエンドレス録画再生装置は、請求項１に記載のエンドレス録画再生装置に於いて、ビデオ・オーディオストリームを入力する手段と、入力するビデオ・オーディオストリームを記憶媒体に記録するに当たって、動き補償等によるピクチャー間の依存関係を有する特定のピクチャグループ単位で記録するストリーム蓄積手段を備える事により、記録されるビデオ・オーディオストリームのインデックス情報がピクチャグループ単位の時間間隔で生成、管理される事を特徴とする。
【０００７】
請求項３のエンドレス録画再生装置は、請求項１及び２に記載のエンドレス録画再生装置に於いて、前記ストリーム蓄積手段に記録されているビデオ・オーディオストリームの内容から、インデックス情報で管理される時間間隔に基づき、特定の時間間隔で参照画像を生成する参照画像生成手段と、前記参照画像生成手段で作成した参照画像をサムネイル表示する手段を備え、サムネイル表示される特定画像を選択する事により、ストリーム蓄積手段に於けるビデオ・オーディオストリームの特定位置より読出し再生する機能を備える事を特徴とする。
【０００８】
請求項４のエンドレス録画再生装置は、請求項１から３に記載のエンドレス録画再生装置に於いて、ビデオ・オーディオストリームを入力する手段と、入力するビデオ・オーディオストリームを記憶媒体に記録するに当たって、空き領域を隣合う連続領域として配置する記憶領域に対して、シーケンシャルに書き込むストリーム蓄積手段を備える事を特徴とする。
【発明の効果】
【０００９】
本発明の請求項１のエンドレス録画再生装置によれば、入力するビデオ・オーディオストリームを記憶媒体に記録するに当たって、特定容量領域として定義された記憶領域の終端に達した場合、記憶領域の最初の端より書換えてゆく事を繰り返す事によりエンドレスに記録し続けると共に、ビデオ・オーディオストリームの一定時間間隔毎の視聴開始位置と同期する記憶領域の格納位置情報をインデックス情報として生成し保持する機能を有し、ユーザが視聴を開始する場合、ユーザが指定する視聴開始位置に最も近接するインデックス情報上の一定時間間隔毎の視聴開始位置を特定し、これに対応する記憶領域の格納位置情報に基づき記憶媒体からビデオ・オーディオストリームを読み出し再生する事により、ユーザに対して目的とするビデオ・オーディオストリームを効率的に視聴させる事が可能となる。尚、ビデオ・オーディオストリーム入力は、地上デジタル放送、衛星放送、ケーブルテレビ放送等の放送チャンネルを受信するチューナ設備を介して入力する手段及び、地上アナログ放送の受信信号や外部ビデオ・オーディオ入力信号をデジタル圧縮する事により供給する入力手段がある。
【００１０】
請求項２の発明のエンドレス録画再生装置によれば、入力するビデオ・オーディオストリームを記憶媒体に記録するに当たって、動き補償等によるピクチャー間の依存関係を有する特定のピクチャグループを構成するデータを記録単位として格納し、特定容量領域として定義された記憶領域の終端に達した場合、記憶領域の最初の端より書換えてゆく事を繰り返す事によりエンドレスに記録し続けると共に、ビデオ・オーディオストリームの一定時間間隔毎の視聴開始位置をピクチャグループを構成するデータ記録単位と一致する時間間隔がその単位となるように設定し、前記視聴開始位置に同期する記憶領域の格納位置情報をインデックス情報として生成し保持する機能を有する事により、インデックス情報に基づき記憶媒体から読み出されるビデオ・オーディオストリームは、動き補償等のピクチャー間の依存関係が無く（参照ピクチャーを必要としない）単独のピクチャー情報のみで再生を可能とするピクチャ先頭位置が必ず視聴開始位置に割り振られる事となり、装置としての負荷を効率的に軽減すると共にユーザ視聴の為の速やかな再生を実現する。
【００１１】
請求項３の発明のエンドレス録画再生装置によれば、記憶媒体に記録されるビデオ・オーディオストリームに於いて、前記インデックス情報で管理される時間間隔を単位とする特定の時間間隔で、ユーザに提示する為の参照画像を生成しサムネイル表示する事により、ユーザは視聴開始したいビデオ・オーディオストリーム上の位置を、サムネイル表示として提示される参照画像として選択する事が可能となる。エンドレス録画再生装置は、ユーザが選択する参照画像としての視聴開始位置から、前記インデックス情報に基づき対応する記憶領域の格納位置情報を取得して、ビデオ・オーディオストリームを記憶領域の特定位置より読出し速やかに再生する事が可能となる。エンドレス録画されるビデオ・オーディオストリームの視聴の為の速やかな再生と簡便な操作性は、記録された日付や時刻情報と視聴したい映像の位置を特定する手段を提供する事によって、的確且つ瞬時に目的とする箇所から再生可能となる事によって満たされる。
【００１２】
請求項４の発明のエンドレス録画再生装置によれば、記憶媒体に於けるエンドレス録画する記憶領域は、断片化された状態を整理し、空き領域を隣合い連続的となるよう配置し直す事によって、ビデオ・オーディオストリームを記録開始位置からシーケンシャルに書込める領域を確保する。次に、時間順に連続するビデオ・オーディオストリームを、確保した空き領域が隣合い連続する記憶領域に、記憶領域の開始位置からシーケンシャルに書込む事により、書込み等の入出力の処理時間の短縮並びに、磁気ヘッド等の稼動部の動きを伴うシーク等負荷が軽減される事により機構部の消耗の軽減による耐久性の向上が見込まれる。ビデオ・オーディオストリームの記憶領域への書込みは、記憶領域の終端に達すると、再び記憶領域の開始位置からシーケンシャルに上書きし、順次繰返す事によりエンドレスな録画を実現しながら、記憶領域に於ける空き領域の不連続と言った断片化を招く事はない。ストリーム蓄積手段は、シーケンシャルアクセスされるビデオ・オーディオストリームに於いて、目的とするピクチャー開始位置を指し示す前記インデックス情報を作成し管理する事により、記憶領域のユーザの特定する位置から読出し、連続するビデオ・オーディオの再生を効率良く高速に実現する事が可能となる。
【図面の簡単な説明】
【００１３】
【図１】エンドレス録画再生装置の構成を示す図
【図２】記憶領域とインデックス情報の構成を示す図
【図３】サムネイル画像作成方法を示す図
【図４】シーケンシャル書き込みを示す図
【発明を実施するための形態】
【００１４】
以下、本発明の実施例を、図面を参照して説明する。
【実施例】
【００１５】
図１は、本発明のエンドレス録画再生装置の構成例を説明する図である。
【００１６】
図１の例に於いて、エンドレス録画再生装置は、ビデオ・オーディオストリーム入力部（６）が地上デジタル放送受信部（１）及び衛星放送受信部（２）及びケーブルＴＶ放送受信部（３）等より入力するテレビジョン放送の放送番組のビデオ・オーディオストリームや、アナログ放送受信部（４）及び外部ビデオ入力部（５）より入力するビデオ・オーディオ信号をデジタル圧縮する事により取得するビデオ・オーディオストリームを、ハードディスク或いはシリコンメモリ、光ディスク等（ＤＶＤ、ＨＤ−ＤＶＤ、ブルーレイディスク等）の記録媒体（９）の記録開始位置から記録し、特定容量を有する記憶領域の終端に達した場合、記憶領域の記録開始位置より書換えてゆく事を繰り返す事により、入力するビデオ・オーディオストリームをエンドレスに記録するストリーム蓄積制御部（８）と、前記記録媒体（９）にビデオ・オーディオストリームを記録するに当たって一定時間間隔毎に前記記憶領域の読出し開始位置と同期するインデックス情報を生成するインデックス生成部（７）とを備え、ユーザが視聴に当たってモニタ（１５）画面上に表示するＯＳＤ（Ｏｎ−Ｓｃｒｅｅｎ  Ｄｉｓｐｌａｙ）等の再生位置指定（１３）手段により指定する特定日付時刻情報から前記インデックス情報を用いて記録媒体（９）上のビデオ・オーディオストリームの読出し開始位置を導出する検索・読出し制御部（１０）を有し、前記読出し開始位置情報に基づきストリーム蓄積制御部（８）から所望のビデオ・オーディオストリームを効率的に読出し、ビデオ・オーディオストリーム再生制御部（１４）で復号及び再生してモニタ（１５）画面に表示する事により、記録されているビデオ・オーディオストリームのユーザの所望する位置から即座に視聴可能とする機能を提供する。更に、記録されているビデオ・オーディオストリームのユーザの所望する視聴位置を特定する手段として、前記記録媒体（９）に記録されているビデオ・オーディオストリームの内容に於いて、インデックス生成部（７）で生成しストリーム蓄積制御部（８）で管理し検索・読出し制御部（１０）で検索・読出しに供されるインデックス情報に基づき、前記インデックス情報で管理される時間間隔を単位とする特定の時間間隔で参照画像を生成する参照画像生成部（１１）を備え、前記特定時間間隔の参照画像をモニタ（１５）画面上にＯＳＤ（Ｏｎ−Ｓｃｒｅｅｎ  Ｄｉｓｐｌａｙ）等手段によりサムネイル表示（１２）する事により、参照画像を選択する事によりユーザが所望する視聴開始位置を簡便に得ると共に、参照画像に対応するビデオ・オーディオストリームの読出し開始位置を導出する検索・読出し制御部（１０）を有し、前記読出し開始位置情報に基づきストリーム蓄積制御部（８）から所望のビデオ・オーディオストリームを読出し、ビデオ・オーディオストリーム再生制御部（１４）で復号及び再生してモニタ（１５）画面に表示する事が可能となる。
【００１７】
図２の例は、エンドレス録画再生装置に於ける記憶媒体上の特定容量の物理記憶領域とシステムの管理する論理記憶領域及びインデックス情報の構成を示している。記憶媒体上の特定容量領域（２０）の内、物理記憶領域（２３）はビデオ・オーディオストリームが記録されている領域であり、物理記憶領域（２４）は未記録の空領域を示しており、記録開始位置から凡そ半分程度の領域に渡ってビデオ・オーディオストリームが保存された時の状態を示している。論理記憶領域（２１）は、物理記憶領域（２０）に於いて、一定長毎に区切られた単位領域にビデオ・オーディオストリームが時刻毎に隣接し連続する様に保存された物理記憶領域（２３）を、記録開始位置（２７）であるファイル先頭ＢＯＦ（Ｂｅｇｉｎ  Ｏｆ  Ｆｉｌｅ）を示すＧ１（２５）から、現在の記録位置（２８）であるファイル終端ＥＯＦ（Ｅｎｄ  Ｏｆ  Ｆｉｌｅ）を示すＧｊ（２６）の一連の連続する単一ファイルとして管理する記憶領域のマップ情報（管理情報）を構成している。又、インデックス情報のテーブル（２２）は、最も過去のインデックス情報Ｔ１（２９）が論理記憶領域Ｇ１（２５）の参照する物理記憶領域位置のビデオ・オーディオストリームの記録時間或いは記録日付時刻を示し、最新のインデックス情報Ｔｎ（３０）が論理記憶領域Ｇｊ（２６）で参照する物理記憶領域位置のビデオ・オーディオストリームの記録時間或いは記録日付時刻を示しており、この範囲でユーザの所望する記録時間或いは記録日付時刻に基づき、ユーザの視聴希望するビデオ・オーディオストリームの物理記憶領域位置を特定する事を可能とする。又、記憶媒体上の特定容量物理領域（３１）は、ビデオ・オーディオストリームの書込みが領域の終端に達し、一回以上領域の最初の端より書換えられた状況を示しており、物理記憶領域（３４）はビデオ・オーディオストリームがエンドレスに過去のデータに上書き記録された領域であり、物理記憶領域（３５）は消去・上書き途中の領域であるかビデオ・オーディオストリームとして未だ復号・再生に供し得ない未完データ領域である事を示している。論理記憶領域（３２）は、物理記憶領域（３１）に於いて、一定長毎に区切られた単位領域にビデオ・オーディオストリームが時刻毎に隣接し連続する様に保存された物理記憶領域（３４）を、記録開始位置（３８）であるファイル先頭ＢＯＦ（Ｂｅｇｉｎ  Ｏｆ  Ｆｉｌｅ）を示すＧ１（３６）から、現在の記録位置（３９）であるファイル終端ＥＯＦ（Ｅｎｄ  Ｏｆ  Ｆｉｌｅ）を示すＧｉ（３９）の一連の連続する単一ファイルとして管理する記憶領域のマップ情報（管理情報）を構成している。従って、論理記憶領域（３２）では、Ｇ１（３６）で参照する物理記憶領域位置のビデオ・オーディオストリームが最も過去のデータとなり、Ｇｉ（３９）で参照する物理記憶領域位置のビデオ・オーディオストリームが最新のデータとなるように構成されており、物理領域に於いてファイル先頭ＢＯＦ及びファイル終端ＥＯＦの位置が移動しても変わらぬ配列・順序での管理を実現している。インデックス情報のテーブル（３３）は、最も過去のインデックス情報Ｔ５０（４０）が論理記憶領域Ｇ１（３６）の参照する物理記憶領域位置のビデオ��オーディオストリームの記録時間或いは記録日付時刻を示し、最新のインデックス情報Ｔｍ（４１）が論理記憶領域Ｇｉ（３９）で参照する物理記憶領域位置のビデオ・オーディオストリームの記録時間或いは記録日付時刻を示しており、この範囲でユーザの所望する記録時間或いは記録日付時刻に基づき、ユーザの視聴希望するビデオ・オーディオストリームの物理記憶領域位置を特定する事を可能とする。尚、インデックス情報のテーブル（２２）に於ける記録時間或いは記録日付時刻情報は、ビデオ・オーディオストリームに内包するＰＣＲ（Ｐｒｏｇｒａｍ  Ｃｌｏｃｋ  Ｒｅｆｅｒｅｎｃｅ）及びＳＣＲ（Ｓｙｓｔｅｍ  Ｃｌｏｃｋ  Ｒｅｆｅｒｅｎｃｅ）等のシステムクロック情報、復号時刻ＤＴＳ（Ｄｅｃｏｄｉｎｇ  Ｔｉｍｅ  Ｓｔａｍｐ）及び表示時刻ＰＴＳ（Ｐｒｅｓｅｎｔａｔｉｏｎ  Ｔｉｍｅ  Ｓｔａｍｐ）情報でも良い。
【００１８】
図３の例は、エンドレス録画再生装置に於けるサムネイル表示の為の参照画像生成の方法を示している。サムネイル表示の為の参照画像は、記録媒体に記録されるビデオ・オーディオストリームのピクチャー情報から、インデックス情報テーブル（５０）で管理される時間間隔を単位とする特定の時間間隔で生成する。エンドレス録画再生装置の参照画像生成部（１１）は、参照画像情報（５２）をインデックス情報Ｔ５０（５１）の参照する物理記憶領域位置のビデオ・オーディオストリームを構成するピクチャー情報から生成し、以降同様に参照画像情報（５４、５６、５８）をインデックス情報Ｔ５１〜Ｔｍ（５３、５６，５７）の参照する物理記憶領域位置のビデオ・オーディオストリームを構成するピクチャー情報から生成する。尚、参照画像情報は、参照画像情報（５４）を省いて、参照画像情報（５２）、（５６）〜（５８）となるように、ユーザの指定に基づき参照画像生成間隔をインデックス情報管理する時間間隔を単位とした任意の倍数間隔に設定できる。又、サムネイル表示の為の参照画像生成は、ビデオ・オーディオストリームを記録媒体に保存する際に実施しても良いし、既に格納されているビデオ・オーディオストリームをインデックス情報テーブル（５０）に基づき該当する物理記憶領域位置から読み出して実施しても良い。
【００１９】
図４の例は、エンドレス録画再生装置に於ける一定長毎に区切られた記憶領域の単位の断片化（フラグメンテーション）と、これを回避するシーケンシャルアクセスを示す図である。記録媒体の特定容量領域（６０）を占めるエンドレス録画の為の物理記憶領域（６２）に於いて、物理記憶領域（６２）は一定長毎に区切られた単位領域Ｂ１（６３）、Ｂ２（６４）、Ｂ３（６５）〜Ｂｎ（６６）で管理構成されており、ビデオ・オーディオストリームが時刻毎に隣接し連続する様に保存される事が望ましい。尚、記録媒体の領域（６１）は、エンドレス録画領域に供さない領域の例を示す。通常の場合、ビデオ・オーディオストリームの一連のデータの書込みと削除が繰返される事により、記憶媒体に於ける一定長毎に区切られた記憶領域単位は、連続した隣合う空き領域が減少し複数の不連続な空き領域に分割され、格納されるビデオ・オーディオストリームの使用領域の断片化現象を引き起こす事となる。これは、論理記憶領域Ｌ１（７８）の参照する物理記憶領域Ｂ３（７６）、論理記憶領域Ｌ３（８０）の参照する物理記憶領域Ｂ１（７４）と言うように、ビデオ・オーディオストリームは連続性を失い物理記憶領域に分散する事となり、特にハードディスク等の稼動部を有する記憶媒体の場合、磁気ヘッド等の稼動部が離れた場所の記憶領域単位を頻繁に行き来する結果を招き、稼動部の移動量の増大によるアクセス速度の低下及び機械機構部の消耗に繋がる。記憶媒体にビデオ・オーディオストリームをエンドレス録画する場合、最初に記憶領域は断片化された状態を整理し、空き領域を隣合い連続的となるよう配置し直し、ビデオ・オーディオストリームを記録開始位置からシーケンシャルに書込める環境を整える。この上で、論理記憶領域Ｇ１（７０）〜Ｇｎ（７３）の参照する物理記憶領域Ｂ１（６７）〜Ｂｎ（６９）と言うように、時間順に連続するビデオ・オーディオストリームを、確保した空き領域が隣合い連続する記憶領域単位に、記憶領域の開始位置からシーケンシャルに書込む事により、書込み等の入出力の処理時間の短縮並びに、磁気ヘッド等の稼動部の負荷を軽減し機構部の耐久性の向上を実現するものである。
【産業上の利用可能性】
【００２０】
本発明の実施例のエンドレス録画再生装置によれば、記憶媒体上の記憶領域にエンドレス録画されるビデオ・オーディオストリームは、視聴再生するピクチャー開始位置等を指し示すインデックス情報を生成し管理する事により、ユーザの特定する視聴開始位置から的確に読出し、連続するビデオ・オーディオの再生を効率良く高速に実現する事が可能となる。又、時間順に連続するビデオ・オーディオストリームを、確保した空き領域が隣合い連続する記憶領域に、記憶領域の開始位置からシーケンシャルに書込む事により、書込み等の入出力の処理時間の短縮並びに、ハードディスクに於いては磁気ヘッド等の稼動部の負荷が軽減される事により機構部の消耗の軽減による耐久性の向上が見込まれる。
【符号の説明】
【００２１】
１            地上デジタル放送受信部
２            衛星放送受信部
３            ケーブルＴＶ放送受信部
４            アナログ放送受信部
５            外部ビデオ入力部
６            ビデオ・オーディオストリーム入力部
７            インデックス生成部
８            ストリーム蓄積制御部
９            記憶媒体
１０          検索・読出し制御部
１１          参照画像生成部
１２          サムネイル表示部
１３          再生位置指定部
１４          ビデオ・オーディオストリーム再生制御部
１５          モニタ
【図１】
2012003803.tif 000003
【図２】
2012003803.tif 000004
【図３】
2012003803.tif 000005
【図４】
2012003803.tif 000006